(57)【要約】【課題】  筐体を前面視する場合に開口が見えなくなり、デザイン的に好ましい筐体を実現できる電子機器の放熱構造を提供する。【解決手段】  電子機器の放熱構造は、筐体と、筐体の内部空間に取り付けられる発熱する電子部品と、内部空間内の空気を外に排出するファンと、を備える電子機器の放熱構造であって、筐体が、内部空間を規定する背面および底面と、内部空間に連通する吸気口および排気口と、電子機器を載置する載置面に対向する底面から突出して設けられて載置面に当接する脚部と、を有し、脚部が、筐体の背面側に開口を有する通気空間を載置面とともに規定し、吸気口または排気口のいずれか一方が、通気空間に連通するように筐体の底面に設けられて、吸気口または排気口のいずれか他方が、筐体の背面に設けられる。【選択図】  図３
2014035659.tif 000002
【特許請求の範囲】
【請求項１】
筐体と、該筐体の内部空間に取り付けられる発熱する電子部品と、該内部空間内の空気を外に排出するファンと、を備える電子機器の放熱構造であって、
該筐体が、該内部空間を規定する背面および底面と、該内部空間に連通する吸気口および排気口と、該電子機器を載置する載置面に対向する該底面から突出して設けられて該載置面に当接する脚部と、を有し、
該脚部が、該筐体の背面側に開口を有する通気空間を該載置面とともに規定し、
該吸気口または該排気口のいずれか一方が、該通気空間に連通するように該筐体の該底面に設けられて、該吸気口または該排気口のいずれか他方が、該筐体の該背面に設けられる、
電子機器の放熱構造。
【請求項２】
前記筐体の前記脚部が、前壁面および右壁面および左壁面を含み、前記筐体の背面側であって該筐体を前面視または側面視する場合に見えない位置に、前記開口が規定される、
請求項１に記載の電子機器の放熱構造。
【請求項３】
前記吸気口が、前記筐体の前記底面に設けられ、前記排気口および前記ファンが、該筐体の前記背面に設けられる、
請求項１または２に記載の電子機器の放熱構造。
【請求項４】
請求項１から３のいずれかに記載の電子機器の放熱構造を含む電子機器。
【発明の詳細な説明】
【技術分野】
【０００１】
本発明は、映像音響機器、または、電子計算機、等の電子機器の放熱に使用される放熱構造に関し、特に、筐体の底面に設ける吸気口または排気口に連通する開口を有する電子機器の放熱構造に関する。
【背景技術】
【０００２】
映像音響機器、または、パーソナルコンピューター等の電子計算機を構成する電子機器に使用される半導体素子においては、その半導体素子での電力損失を原因として発熱が生じる。また、電子機器の筐体内に配置される半導体素子のみならず、ＨＤＤ（ハードディスクドライブ）等の記録媒体制御装置、あるいは、電源、等の回路部品も発熱する。したがって、発熱による破壊を防止するために、一般的には筐体に吸気口および排気口を設け、場合によっては筐体の内部空間内の熱せられた空気を外に排出するファンを備える場合がある。
【０００３】
従来には、例えば、内部に第１発熱部材および第２発熱部材が配され、外部の空気を吸入するための吸入口が形成された筐体と、前記第１発熱部材および前記第２発熱部材を放熱するためのファンと、前記第１発熱部材が収納される発熱部材収納部と、前記発熱部材収納部と連通し、前記ファンが収納されるファン収納部とを有するケース部材とを備え、前記ケース部材には、前記発熱部材収納部内に空気を吸入するための第１開口と、前記筐体内部の空気を前記発熱部材収納部内を経由せずに前記ファン収納部に吸入するための第２開口と、前記ファン収納部から空気を放出するための排気口とが形成され、前記ファン収納部に配された前記ファンの一部が前記発熱部材収納部内の空気を前記排気口から放出するよう機能し、前記ファンの他の一部が前記第２開口からの空気を前記排気口から放出するよう機能し、前記吸入口と前記第２開口とを結ぶ空気の流路に、前記第２発熱部材が配されている、電子機器がある。（特許文献１）。
【０００４】
また、従来には、底面の前面パネルに近接した位置に吸気用穴が設けられるとともに後面パネルの前記吸気用穴に対向しない位置に排気用穴と排気用ファンが設けられた本体と、ヒートシンクを有する少なくとも１の第１の発熱部品とヒートシンクを有しない少なくも１の第２の発熱部品を含む複数の部品が搭載された、前記本体に前記吸気用穴を回避して収容されるマザーボードと、を有する電子機器の放熱構造であって、前記第１の発熱部品は、前記マザーボードの前記排気用ファンに近接した位置から前面パネル側に延びる方向に一列に配置され、前記第２の発熱部品は、前記マザーボードの前記吸気用穴に近接した位置に配置され、前記マザーボードには、前記排気用穴を臨む端面と前記マザーボードに対向する面が開放された前記排気用穴から前記前面パネル側に延びる半筒状の形状を有するダクト部材が前記排気用ファンと前記第１の発熱部品を覆うように取り付けられ、前記ダクト部材の前記第２の発熱部品に面した側面には、前記吸気用穴から前記本体内に流入する空気を当該ダクト部材内に吸入させるための開口が下端を切り込ませるようにして設けられていることを特徴とする、電子機器の放熱構造がある（特許文献２）。
【先行技術文献】
【特許文献】
【０００５】
【特許文献１】特許第４４５７４１４号公報  （第１図〜第１３図）
【特許文献２】特許第４４６６６４０号公報  （第１図〜第１０図）
【０００６】
しかしながら、上記のような電子機器では、放熱構造を実現する筐体に設計上の制約が多く要求されることになる。例えば、底面の前面パネルに近接した位置に吸気用穴が設けられる場合には、筐体の底面に底脚を取り付けて、筐体の底面を載置する載置面からある程度浮かせて、空気が前面側からも流入できるようにすることになる。ただし、この場合には、前面パネルの下側の空間を大きくしなければならないという問題があり、デザイン面における制約ができてしまう。放熱の理由により筐体の底面に吸気口または排気口を設ける場合であっても、筐体を前面視する場合にこれらに連通するような空間が見えない放熱構造があれば、デザイン的には好ましい場合がある。さらに、吸入される空気により埃が筐体の底面の吸気用穴に集まってしまい、汚れて見えるようになるという問題がある。
【発明の概要】
【発明が解決しようとする課題】
【０００７】
本発明は、上記の従来技術が有する問題を解決するためになされたものであり、その目的は、電子機器の放熱に使用される放熱構造に関し、特に、筐体の底面に設ける吸気口または排気口に連通する開口を有する電子機器において、筐体を前面視する場合に開口が見えなくなり、デザイン的に好ましい筐体を実現できる電子機器の放熱構造を提供することにある。
【課題を解決するための手段】
【０００８】
本発明の電子機器の放熱構造は、筐体と、筐体の内部空間に取り付けられる発熱する電子部品と、内部空間内の空気を外に排出するファンと、を備える電子機器の放熱構造であって、筐体が、内部空間を規定する背面および底面と、内部空間に連通する吸気口および排気口と、電子機器を載置する載置面に対向する底面から突出して設けられて載置面に当接する脚部と、を有し、脚部が、筐体の背面側に開口を有する通気空間を載置面とともに規定し、吸気口または排気口のいずれか一方が、通気空間に連通するように筐体の底面に設けられて、吸気口または排気口のいずれか他方が、筐体の背面に設けられる。
【０００９】
好ましくは、本発明の電子機器の放熱構造は、筐体の脚部が、前壁面および右壁面および左壁面を含み、筐体の背面側であって筐体を前面視または側面視する場合に見えない位置に、開口が規定される。
【００１０】
また、本発明の電子機器の放熱構造は、吸気口が、筐体の底面に設けられ、排気口およびファンが、筐体の背面に設けられる。
【００１１】
また、本発明の電子機器は、上記いずれかの記載の電子機器の放熱構造を含む。
【００１２】
以下、本発明の作用について説明する。
【００１３】
本発明の電子機器の放熱構造は、筐体と、筐体の内部空間に取り付けられる発熱する電子部品と、内部空間内の空気を外に排出するファンと、を備える。筐体は、内部空間を規定する背面および底面と、内部空間に連通する吸気口および排気口と、電子機器を載置する載置面に対向する底面から突出して設けられて載置面に当接する脚部と、を有する。ファンが動作する場合には、ファンは羽根部を回転させて、高温になる電子部品により熱せられた筐体の内部空間内の空気を、外に排出して冷却する送風を発生させる。
【００１４】
筐体の脚部は、筐体の背面側に開口を有する通気空間を載置面とともに規定する。筐体の脚部は、前壁面および右壁面および左壁面を含む場合には、筐体の背面側であって筐体を前面視または側面視する場合に見えない位置に、開口を規定することができる。筐体の吸気口または排気口のいずれか一方が、通気空間に連通するように筐体の底面に設けられて、吸気口または排気口のいずれか他方が、筐体の背面に設けられる。好ましくは、吸気口が、筐体の底面に設けられ、排気口およびファンが、筐体の背面に設けられる。
【００１５】
したがって、筐体の底面に設ける吸気口または排気口に連通する開口を有する電子機器において、放熱構造の開口を、筐体を前面視する場合に見えなくすることができる。筐体の底面に設ける脚部の背面側に開口を設けるので、筐体を前面視しても側面視しても、ほぼ開口が見えなくなるからである。したがって、デザイン的に好ましい前面パネルの下端と載置面との間の距離を短くするような電子機器の筐体であっても、ファンが動作する場合には、十分な放熱の性能を保つことができる。前面パネルの下側の空間を大きくしなくても、吸入される空気により埃が集まって汚れて見えるようなことがなくなる。
【発明の効果】
【００１６】
本発明の放熱構造およびこれを用いた電子機器は、筐体の底面に設ける吸気口または排気口に連通する開口を有していても、筐体を前面視する場合に開口が見えなくなり、デザイン的に好ましい筐体を実現できる。
【図面の簡単な説明】
【００１７】
【図１】本発明の好ましい実施形態による映像音響機器について説明する斜視図である。（実施例１）
【図２】本発明の好ましい実施形態による映像音響機器を下側から見た斜視図である。（実施例１）
【図３】本発明の好ましい実施形態による映像音響機器の放熱構造について説明する断面図である。（実施例１）
【発明を実施するための形態】
【００１８】
以下、本発明の好ましい実施形態による放熱構造およびこれを用いた電子機器について説明するが、本発明はこれらの実施形態には限定されない。
【実施例１】
【００１９】
図１は、本発明の好ましい実施形態による放熱構造を含む映像音響機器１について斜め前方から見た斜視図である。また、図２は、この映像音響機器１を下側から見た斜視図であり、図３は、図１におけるＡ−Ａ’断面による側面斜視の断面図である。なお、以下では、映像音響機器１における放熱構造の動作の説明に不要な一部の詳細な構成については、図示並びに説明を省略する。
【００２０】
本実施例の映像音響機器１は、筐体３にディスプレイ５および左右スピーカー６を備えるミュージックプレーヤーである。筐体３は、その底部の中央部分に脚部４を有し、映像音響機器１は、この脚部４を介して平面２に載置されて使用される。全体的に丸みを帯びた形状に成形された筐体３は、樹脂で成型された複数の部材で構成されている。筐体３は、ディスプレイ５および左右スピーカー６が取り付けられる前面３１と、側面部分である側面３２と、載置面に対向する底面部分である底面３３と、背面部分である背面３４と、脚部４と、を含む。
【００２１】
筐体３は、ディスプレイ５および左右スピーカー６等に接続する電子部品を含む複数の回路９を収容する内部空間３０をその内部に規定する。映像音響機器１における放熱構造は、筐体３の内部空間３０において熱せられた空気を、図３での点線矢印によって示すように、筐体３の外側に排出して放熱する。本実施例では、筐体３の底面３３の脚部４に内部空間３０に連通する吸気口７が設けられ、内部空間３０に連通する排気口８およびファン１０が、筐体３の背面３４に設けられる。
【００２２】
脚部４は、平面２に対向する底面３３および背面３４から、一部が外側へ突出するように設けられる部分であって、平面２に当接する前壁面部４１と、前壁面部４１と連なるように形成される右壁面部４２および左壁面部４３と、筐体３の背面３４に連なる背面部４４と、を含む。背面部４４には、複数の端子が取り付けられる端子部４５が、奥まったところに設けられる。前壁面部４１、右壁面部４２および左壁面部４３は、底面３３からわずかに突出する。したがって、筐体３の底面３３は、平面２からわずかに離れているものの、映像音響機器１を使用者が前面視する場合には、平面２に密着しているかのように見える。前壁面部４１、右壁面部４２および左壁面部４３は、平面２に密着できるように、平面で構成されるのが好ましい。
【００２３】
脚部４の前壁面部４１と、右壁面部４２および左壁面部４３は、略コの字状に繋がって平面２に当接し、筐体３の背面側に開口２０を有する通気空間２１を平面２とともに規定する。脚部４の吸気口７は、脚部４が規定する通気空間２１と、筐体３の内部空間３０と、を連通させる複数の貫通孔として、底面３３および脚部４に形成される。また、開口２０は、右壁面部４２および左壁面部４３と、平面２および端子部４５と、により、矩形の開口として、筐体３の背面側に規定される。開口２０は、筐体３を前面視または側面視する場合に見えない位置になる。したがって、映像音響機器１の放熱構造における吸気口７並びに開口２０は、筐体３を前面視しても側面視しても、ほぼ見えなくなる。
【００２４】
また、排気口８は、筐体３の背面３４ならびにこれに連なる脚部４の背面部４４に、複数の貫通孔として形成される。ファン１０は、排気口８を覆うように筐体３の内部空間３０に取り付けられるファン装置である。ファン１０は、略直方体形状の枠内に回転翼を有し、この回転翼をモーターで回転させることにより直流的な冷却風を発生させることができる。本実施例のファン１０は、点線矢印で図示する空気の流れを発生させる。ファン１０は、映像音響機器１の（図示しない）電源装置から電源供給され、制御装置である（図示しない）マイコンからオン／オフ、ならびに、回転速度の制御を受けて、回転並びに停止する。
【００２５】
映像音響機器１の放熱構造は、ファン１０が動作する場合には、強制的に吸気口７から空気を吸入して、筐体３の内部空間３０の空気を、排気口８を介して排出する。一方、ファン１０の動作する場合にも、高温になる電子部品により熱せられた筐体３の内部空間３０内の空気は、自然対流によって底面３３の吸気口７から流入する空気によって、排気口８から外に排出される。したがって、映像音響機器１の放熱構造は、筐体３の内部の発熱する電子部品を冷却することができる。
【００２６】
この映像音響機器１の放熱構造は、筐体３の内部空間３０に外部の空気を流入させる開口２０を、筐体３を前面視する場合に見えなくなる脚部４の背面側に設けている。脚部４が、吸気口７に連通する通気空間２１を規定するように筐体３の底部３３に設けられるからである。したがって、映像音響機器１の筐体３を、デザイン的に好ましい前面３１の下端と載置面である平面２との間の距離を短くするような場合であっても、ファン１０が動作する場合には、十分に放熱の性能を保つことができる。また、筐体３の前面３１の下側の空間を大きくしなくてもよくなるので、デザイン上の利点だけでなく、吸入される空気により埃が集まって、筐体３の前面３の側が汚れて見えるようなことがなくなるという利点がある。
【００２７】
なお、映像音響機器１の放熱構造では、上記実施例の脚部４の形状に代えて、他の脚部４の形状を採用しても良い。例えば、脚部４は、平面２に当接する略円弧状の構造であって、背面側に開口２０を設け、通気空間２１を平面２とともに規定するものであってもよい。
【００２８】
また、本発明は上記実施例に限定されない。映像音響機器１の放熱構造は、図示するような映像音響機器１の放熱構造に限られない。上記の放熱構造では、ファン１０が排気口８に取り付けられているが、ファン１０は、吸気口７に取り付けられていても良く、また、筐体３の内部空間３０のいずれかの場所であって、内部空間３０の熱せられた空気を適切に外部に排出できる位置に取り付けられればよい。
【産業上の利用可能性】
【００２９】
本発明の放熱構造は、映像音響機器のみならず、パーソナルコンピューター等の電子計算機にも適用が可能である。
【符号の説明】
【００３０】
１            映像音響機器
２            平面、載置面
３            筐体
４            脚部
５            ディスプレイ
６            スピーカー
７            吸気口
８            排気口
９            回路
１０          ファン
【図１】
2014035659.tif 000003
【図２】
2014035659.tif 000004
【図３】
2014035659.tif 000005